(57)【要約】【解決手段】毛髪用櫛は、各櫛歯２を並設した櫛本体１と、櫛本体１に隣接して設けた把持部３とを備えている。櫛本体１の表面５側と把持部３の表面９側で櫛本体１と把持部３との間の境界部６における案内凸部１１には、案内面７とストッパ面１０とを形成している。櫛本体１を眉毛Ｍに当てがって眉毛Ｍに対し化粧筆によりマスカラを塗る際に、櫛本体１側の案内面７は、化粧筆が把持部３側へ滑らないようにするストッパとしての機能を果たしつつ、櫛本体１の表面５で化粧筆を円滑に案内する機能を持ち、把持部３側のストッパ面１０は、把持部３の表面９に当てがった指が櫛本体１側へ滑らないようにするストッパとしての機能を果たす。【効果】眉毛Ｍに対し化粧筆によりマスカラが塗り易くなる。【選択図】図２
2004159963.tif 000002
【特許請求の範囲】
【請求項１】
各櫛歯を並設した櫛本体と、この櫛本体に隣接して設けた把持部とを備え、毛髪に面する櫛本体の裏面に対し櫛本体の厚み方向で反対側になる櫛本体の表面側で、この櫛本体と把持部との間の境界部には、櫛本体の表面から櫛本体の厚み方向へ離間するように延びる案内面を形成したことを特徴とする毛髪用櫛。
【請求項２】
各櫛歯を並設した櫛本体と、この櫛本体に隣接して設けた把持部とを備え、毛髪に面する櫛本体の裏面に対し櫛本体の厚み方向で反対側になる櫛本体の表面側で、この櫛本体と把持部との間の境界部には、櫛本体の表面から櫛本体の厚み方向へ離間するように延びる案内面を形成するとともに、毛髪に面する把持部の裏面に対し把持部の厚み方向で反対側になる把持部の表面側で、この把持部と櫛本体との間の境界部には、把持部の表面から把持部の厚み方向へ離間するように延びるストッパ面を形成し、この把持部側のストッパ面と前記櫛本体側の案内面との間で前記境界部には、櫛本体の表面及び把持部の表面からそれらの厚み方向へ突出する案内凸部を形成したことを特徴とする毛髪用櫛。
【請求項３】
前記把持部は前記各櫛歯の延設方向で前記櫛本体に隣接して設けられ、この把持部の裏面は、この櫛本体の裏面を含む想定平面に対し把持間隙をあけて離間していることを特徴とする請求項１または請求項２に記載の毛髪用櫛。
【請求項４】
前記把持部は前記各櫛歯の延設方向で前記櫛本体に隣接して設けられ、この櫛本体で各櫛歯の先端部間を結ぶ想定線と各櫛歯の基端部間を結ぶ想定線とは、それぞれ、この把持部側へ凹むように湾曲し、この各櫛歯の先端部と基端部とを結ぶ長さについては、各櫛歯の並設方向で両側域にある各櫛歯の長さがこの両側域間の中央域にある各櫛歯の長さよりも小さくなっていることを特徴とする請求項１または請求項２または請求項３に記載の毛髪用櫛。
【請求項５】
前記櫛本体の裏面は櫛本体の厚み方向で櫛本体の表面側へ凹むように湾曲し、前記櫛本体の表面は櫛本体の裏面に沿って膨らむように湾曲していることを特徴とする請求項１から請求項４のうちいずれかの請求項に記載の毛髪用櫛。
【請求項６】
前記把持部は前記各櫛歯の延設方向で前記櫛本体に隣接して設けられ、この櫛本体はこの櫛本体側の案内面とこの把持部側のストッパ面とに沿う幅方向の両側へこの把持部から延設され、この案内面とこのストッパ面とは、それぞれ、櫛本体の幅方向の寸法よりも小さく設定されているとともに、把持部の幅方向の寸法よりも大きく設定されていることを特徴とする請求項２に記載の毛髪用櫛。
【発明の詳細な説明】
【０００１】
【発明の属する技術分野】
本発明は、特に、眉毛に対し化粧筆によりマスカラを塗る際に使用する眉マスカラガードなどの毛髪用櫛に関するものである。
【０００２】
【従来の技術】
従来、頭髪に合わせて眉毛も染めるために眉毛に対し化粧筆によりマスカラを塗る際には、化粧筆を眉毛に直接当てがっていた。
【０００３】
【特許文献１】
実公昭５７−３８０９１号公報
【特許文献２】
実開昭６４−８３０４号公報
【特許文献３】
特開２０００−２７０９２０号公報
【０００４】
【発明が解決しようとする課題】
しかし、眉毛に化粧筆を直接当てて塗ると、マスカラがかたまりとなって眉毛に付いたり、眉毛同士がマスカラにより互いにつながったりするため、マスカラを眉毛に対しきれいに塗ることができない。従来、上記特許文献１〜３に例示したように、特に眉マスカラガードとして有効な毛髪用櫛は開発されていない。
【０００５】
この発明は、特に、眉マスカラガードとして有効な毛髪用櫛において、眉毛に対し化粧筆によりマスカラを塗り易くすることを目的としている。
【０００６】
【課題を解決するための手段及び発明の効果】
後記実施形態の図面（図１〜２）の符号を援用して本発明を説明する。
＊  請求項１の発明
この発明にかかる毛髪用櫛は、下記のように構成されている。
【０００７】
この毛髪用櫛は、各櫛歯（２）を並設した櫛本体（１）と、この櫛本体（１）に隣接して設けた把持部（３）とを備えている。毛髪（人体の毛の総称であり、普通は髪の毛を指すが、眉毛Ｍも含む意味に使用する。）に面する櫛本体（１）の裏面（４）に対し櫛本体（１）の厚み方向（Ｚ）で反対側になる櫛本体（１）の表面（５）側で、この櫛本体（１）と把持部（３）との間の境界部（６）には、櫛本体（１）の表面（５）から櫛本体（１）の厚み方向（Ｚ）へ離間するように延びる案内面（７）を形成している。例えば、毛髪（Ｍ）に面する把持部（３）の裏面（８）に対し把持部（３）の厚み方向（Ｚ）で反対側になる把持部（３）の表面（９）は、櫛本体（１）の厚み方向（Ｚ）で櫛本体（１）の表面（５）側へ接近する向きへ前記櫛本体（１）側の案内面（７）に対し傾斜するように前記境界部（６）から延設されている。
【０００８】
この発明では、例えば、櫛本体（１）を眉毛（Ｍ）に当てがって眉毛（Ｍ）に対し化粧筆によりマスカラを塗る際に、上記案内面（７）は、化粧筆が把持部（３）側へ滑らないようにするストッパとしての機能を果たしつつ、櫛本体（１）の表面（５）で化粧筆を円滑に案内する機能を持つので、眉毛（Ｍ）に対し化粧筆によりマスカラが塗り易くなる。
【０００９】
＊  請求項２の発明
この発明にかかる毛髪用櫛は、下記のように構成されている。
この毛髪用櫛は、各櫛歯（２）を並設した櫛本体（１）と、この櫛本体（１）に隣接して設けた把持部（３）とを備えている。毛髪（Ｍ）に面する櫛本体（１）の裏面（４）に対し櫛本体（１）の厚み方向（Ｚ）で反対側になる櫛本体（１）の表面（５）側で、この櫛本体（１）と把持部（３）との間の境界部（６）には、櫛本体（１）の表面（５）から櫛本体（１）の厚み方向（Ｚ）へ離間するように延びる案内面（７）を形成している。例えば、この案内面（７）は、櫛本体（１）側から把持部（３）側へ向かうほど次第に櫛本体（１）の表面（５）から櫛本体（１）の厚み方向（Ｚ）へ離間するように傾斜している。また、例えば、この案内面（７）は櫛本体（１）の表面（５）とつながるように櫛本体（１）の裏面（４）側へ凹んでいる。
【００１０】
さらに、毛髪に面する把持部（３）の裏面（８）に対し把持部（３）の厚み方向（Ｚ）で反対側になる把持部（３）の表面（９）側で、この把持部（３）と櫛本体（１）との間の境界部（６）には、把持部（３）の表面（９）から把持部（３）の厚み方向（Ｚ）へ離間するように延びるストッパ面（１０）を形成している。例えば、このストッパ面（１０）は、把持部（３）側から櫛本体（１）側へ向かうほど次第に把持部（３）の表面（９）から把持部（３）の厚み方向（Ｚ）へ離間するように傾斜している。また、例えば、このストッパ面（１０）は把持部（３）の表面（９）とつながるように把持部（３）の裏面（８）側へ凹んでいる。
【００１１】
この把持部（３）側のストッパ面（１０）と前記櫛本体（１）側の案内面（７）との間で前記境界部（６）には、櫛本体（１）の表面（５）及び把持部（３）の表面（９）からそれらの厚み方向（Ｚ）へ突出する案内凸部（１１）を形成している。例えば、この案内凸部（１１）の頂部（１１ａ）でこの案内面（７）とストッパ面（１０）とを互いに交差させている。
【００１２】
この発明では、請求項１の発明の効果に加え、例えば、櫛本体（１）を眉毛（Ｍ）に当てがって眉毛（Ｍ）に対し化粧筆によりマスカラを塗る際に、把持部（３）の表面（９）に当てがった指が櫛本体（１）側へ滑らないようにするストッパとしての機能を果たすので、眉毛（Ｍ）に対し化粧筆によりマスカラが塗り易くなる。
【００１３】
＊  請求項３の発明
この発明は、請求項１または請求項２の発明を前提として下記のように構成されている。
【００１４】
前記把持部（３）は前記各櫛歯（２）の延設方向（Ｙ）で前記櫛本体（１）に隣接して設けられている。この把持部（３）の裏面（８）は、この櫛本体（１）の裏面（４）を含む想定平面（Ｈ）に対し把持間隙（Ｇ）をあけて離間している。例えば、把持部（３）の裏面（８）は、櫛本体（１）の裏面（４）を含む想定平面（Ｈ）に対し櫛本体（１）の厚み方向（Ｚ）で櫛本体（１）の表面（５）側へ傾斜している。この発明では、例えば、櫛本体（１）を眉毛（Ｍ）に当てがった際に、眉毛（Ｍ）の上方域と把持部（３）との間には把持部（３）の裏面（８）に当てがった指が入る把持間隙（Ｇ）が生じるので、櫛の操作が行い易くなり、眉毛（Ｍ）に対し化粧筆によりマスカラが塗り易くなる。
【００１５】
＊  請求項４の発明
この発明は、請求項１または請求項２または請求項３の発明を前提として下記のように構成されている。
【００１６】
前記把持部（３）は前記各櫛歯（２）の延設方向（Ｙ）で前記櫛本体（１）に隣接して設けられている。この櫛本体（１）で各櫛歯（２）の先端部（２ａ）間を結ぶ想定線（Ｐ）と各櫛歯（２）の基端部（２ｂ）間を結ぶ想定線（Ｑ）とは、それぞれ、この把持部（３）側へ凹むように湾曲している。この各櫛歯（２）の先端部（２ａ）と基端部（２ｂ）とを結ぶ長さ（Ｌ）については、各櫛歯（２）の並設方向（幅方向Ｘ）で両側域（Ａ）にある各櫛歯（２）の長さ（Ｌ）がこの両側域（Ａ）間の中央域（Ｂ）にある各櫛歯（２）の長さ（Ｌ）よりも小さくなっている。この発明では、例えば、櫛本体（１）を眉毛（Ｍ）に当てがった際に、各櫛歯（２）を有する櫛本体（１）の形態が眉毛（Ｍ）の形態に近付くので、眉毛（Ｍ）に対し化粧筆によりマスカラが塗り易くなる。
【００１７】
＊  請求項５の発明
この発明は、請求項１から請求項４のうちいずれかの請求項の発明を前提として下記のように構成されている。
【００１８】
前記櫛本体（１）の裏面（４）は櫛本体（１）の厚み方向（Ｚ）で櫛本体（１）の表面（５）側へ凹むように湾曲している。前記櫛本体（１）の表面（５）は櫛本体（１）の裏面（４）に沿って膨らむように湾曲している。この発明では、例えば、櫛本体（１）を眉毛（Ｍ）に当てがった際に、各櫛歯（２）を有する櫛本体（１）の形態が眉毛（Ｍ）の形態に近付くので、眉毛（Ｍ）に対し化粧筆によりマスカラが塗り易くなる。
【００１９】
＊  請求項６の発明
この発明は、請求項２の発明を前提として下記のように構成されている。
前記把持部（３）は前記各櫛歯（２）の延設方向（Ｙ）で前記櫛本体（１）に隣接して設けられている。この櫛本体（１）はこの櫛本体（１）側の案内面（７）とこの把持部（３）側のストッパ面（１０）とに沿う幅方向（Ｘ）の両側へこの把持部（３）から延設されている。この案内面（７）とこのストッパ面（１０）とは、それぞれ、櫛本体（１）の幅方向（Ｘ）の寸法よりも小さく設定されているとともに、把持部（３）の幅方向（Ｘ）の寸法よりも大きく設定されている。この発明では、例えば、櫛本体（１）を眉毛（Ｍ）に当てがった際に、把持部（３）における幅方向（Ｘ）の両側で視認空間（Ｓ）が生じるので、眉毛（Ｍ）に対し化粧筆によりマスカラが塗り易くなる。
【００２０】
＊  第７の発明
この発明は、請求項１から請求項６のうちいずれかの請求項の発明を前提として下記のように構成されている。
【００２１】
前記櫛本体（１）はその厚み方向（Ｚ）へ撓み得る弾性を有している。この発明では、櫛本体（１）を眉毛（Ｍ）に当てがった際に、眉毛（Ｍ）の形態に合わせて櫛本体（１）の形態を変えることができるので、眉毛（Ｍ）に対し化粧筆によりマスカラが塗り易くなる。
【００２２】
【発明の実施の形態】
以下、本発明の一実施形態にかかる毛髪用櫛について図１〜２を参照して説明する。
【００２３】
この毛髪用櫛は、各櫛歯２を並設した櫛本体１と、この各櫛歯２の延設方向Ｙでこの櫛本体１に隣接して一体に設けられた把持部３とを備えている。この毛髪用櫛は不透明または半透明または透明なプラスチックにより成形され、櫛本体１と把持部３とを共に硬質樹脂または軟質樹脂により成形したり、櫛本体１のみを軟質樹脂により成形して厚み方向Ｚへ撓み得る弾性を持たせてもよい。
【００２４】
眉毛Ｍに面する櫛本体１の裏面４に対し櫛本体１の厚み方向Ｚで反対側になる櫛本体１の表面５側で、この櫛本体１と把持部３との間の境界部６には、櫛本体１の表面５と一平面で滑らかにつながる案内面７が形成されている。この案内面７は、櫛本体１側から把持部３側へ向かうほど次第に櫛本体１の表面５から櫛本体１の厚み方向Ｚへ離間するように傾斜して延びているとともに、櫛本体１の裏面４側へ凹んでいる。この案内面７の形状については、櫛本体１の表面５側へ凸状に膨らませる等、適宜変更してもよい。
【００２５】
眉毛Ｍに面する把持部３の裏面８に対し把持部３の厚み方向Ｚで反対側になる把持部３の表面９側で、この把持部３と櫛本体１との間の前記境界部６には、把持部３の表面９と一平面で滑らかにつながるストッパ面１０が形成されている。このストッパ面１０は、把持部３側から櫛本体１側へ向かうほど次第に把持部３の表面９から把持部３の厚み方向Ｚへ離間するように傾斜して延びているとともに、把持部３の裏面８側へ凹んでいる。このストッパ面１０の形状については、把持部３の表面９側へ凸状に膨らませる等、適宜変更してもよい。この把持部３の裏面８と表面９とにはそれぞれ指掛凹部８ａ，９ａが形成されている。これらの指掛凹部８ａ，９ａを互いに連通させてもよい。
【００２６】
この把持部３側のストッパ面１０と前記櫛本体１側の案内面７との間で前記境界部６には、櫛本体１の表面５及び把持部３の表面９からそれらの厚み方向Ｚへ突出する案内凸部１１が形成されている。この案内凸部１１の頂部１１ａでこの案内面７とストッパ面１０とが互いに交差して尖っている。この頂部１１ａの形状については、アールの面取りを持たせる等、適宜変更してもよい。
【００２７】
前記櫛本体１はこの櫛本体１側の案内面７と前記把持部３側のストッパ面１０とに沿う幅方向Ｘの両側へこの把持部３から同一寸法だけ延設されている。この把持部３は櫛本体１における幅方向Ｘの中央に位置し、把持部３における幅方向Ｘの両側で視認空間Ｓが生じる。この案内面７とこのストッパ面１０とは、それぞれ、櫛本体１の幅方向Ｘの寸法よりも小さく設定されているとともに、把持部３の幅方向Ｘの寸法よりも大きく設定されている。
【００２８】
前記把持部３の裏面８は、前記櫛本体１の裏面４を含む想定平面Ｈに対し、櫛本体１の厚み方向Ｚで櫛本体１の表面５側へ傾斜して把持間隙Ｇをあけて離間している。
【００２９】
前記櫛本体１で各櫛歯２の先端部２ａ間を結ぶ想定線Ｐと各櫛歯２の基端部２ｂ間を結ぶ想定線Ｑとは、それぞれ、前記把持部３側へ凹むように湾曲している。この各櫛歯２の先端部２ａと基端部２ｂとを結ぶ長さＬについては、各櫛歯２の並設方向（幅方向Ｘ）で両側域Ａにある各櫛歯２の長さＬがこの両側域Ａ間の中央域Ｂにある各櫛歯２の長さＬよりも小さくなっている。ちなみに、各櫛歯２の長さＬは中央から幅方向Ｘの両側へ向かうほど次第に小さくなっている。
【００３０】
前記櫛本体１の裏面４は櫛本体１の厚み方向Ｚで櫛本体１の表面５側へ凹むように湾曲し、前記櫛本体１の表面５は櫛本体１の裏面４に沿って膨らむように湾曲している。
【００３１】
このように構成された毛髪用櫛を使用する場合には、図２（ｂ）に示すように、指で挟持した把持部３を上にして櫛本体１を眉毛Ｍに当てがい、各櫛歯２から突出した眉毛Ｍに対し化粧筆によりマスカラを下から上へ塗る。その際、化粧筆は櫛本体１の表面５から案内面７を経て円滑に案内される。また、把持部３の表面９で指の移動はストッパ面１０により阻止される。
【図面の簡単な説明】
【図１】（ａ）は本実施形態にかかる毛髪用櫛を示す正面図であり、（ｂ）は同じく底面図である。
【図２】（ａ）は本実施形態にかかる毛髪用櫛を側面側から見た断面図であり、（ｂ）はこの毛髪用櫛の使用状態を示す側面図である。
【符号の説明】
１…櫛本体、２…櫛歯、２ａ…櫛歯先端部、２ｂ…櫛歯基端部、３…把持部、４…櫛本体裏面、５…櫛本体表面、６…境界部、７…案内面、８…把持部裏面、９…把持部表面、１０…ストッパ面、１１…案内凸部、Ｍ…眉毛（毛髪）、Ｘ…幅方向（櫛歯並設方向）、Ｙ…櫛歯延設方向、Ｚ…厚み方向、Ｇ…把持間隙、Ｈ…想定平面、Ｐ，Ｑ…想定線、Ｌ…櫛歯長さ、Ａ…両側域、Ｂ…中央域。
【図１】
2004159963.tif 000003
【図２】
2004159963.tif 000004